(57)【要約】【課題】維持期間の放電電流を低減し、消費電力を減らすことができるプラズマ表示装置及びその駆動装置を提供する。【解決手段】維持期間において、Ｙ電極にＶｓ１を印加し、Ｘ電極に０Ｖを印加する段階と、Ｙ電極にＶｓ１が印加された時点からＰ３期間後に、Ｙ電極にＶｓ１を印加した状態で、Ｘ電極にＶｓ１より低く０Ｖより高いＶｓ２をＰ２期間印加する段階と、Ｘ電極にＶｓ１を印加し、Ｙ電極に０Ｖを印加する段階と、Ｘ電極にＶｓ１が印加された時点からＰ３期間後に、Ｘ電極にＶｓ１を印加した状態で、Ｙ電極にＶｓ２をＰ２期間印加する段階と、を含むことを特徴とする。維持放電開始後にＹ電極の電圧をＶｓ２に高めてＹ電極とＸ電極とに印加された電圧差を低めることにより、壁電荷は少量となる。これにより、壁電荷が形成されながら、放電電流が減少し、消費電力を減少させることができる。【選択図】図２
2007017964.tif 000002
【特許請求の範囲】
【請求項１】
複数の第１電極、及び各々の前記第１電極と共に表示動作を行う複数の第２電極を備える、プラズマ表示装置の駆動方法において；
点灯されるセルに対して維持放電を行う維持期間に、
前記第１電極に１次電圧を印加し、前記第２電極に前記１次電圧より低い２次電圧を印加する段階と、
前記第１電極に前記１次電圧が印加された時点から第１期間後に、前記第１電極に前記１次電圧を印加した状態で、前記第２電極に前記１次電圧より低く前記２次電圧より高い３次電圧を第２期間印加する段階と、
前記第２電極に前記１次電圧を印加し、前記第１電極に前記２次電圧を印加する段階と、
前記第２電極に前記１次電圧が印加された時点から前記第３期間後に、前記第２電極に前記１次電圧を印加した状態で、前記第１電極に前記３次電圧を第４期間印加する段階と、
を含むことを特徴とする、プラズマ表示装置の駆動方法。
【請求項２】
前記第１電極に前記１次電圧が印加される期間には前記第２電極に前記３次電圧が印加される前記第２期間を含み、前記第２電極に前記１次電圧が印加される期間には前記第１電極に前記３次電圧が印加される前記第４期間を含むことを特徴とする、請求項１に記載のプラズマ表示装置の駆動方法。
【請求項３】
前記２次電圧は、接地電圧であることを特徴とする、請求項１または２に記載のプラズマ表示装置の駆動方法。
【請求項４】
前記第１期間及び前記第３期間は、前記第１電極と前記第２電極との間の放電遅延時間以上の期間であることを特徴とする、請求項１〜３のいずれかに記載のプラズマ表示装置の駆動方法。
【請求項５】
複数の第１電極、及び各々の前記第１電極と共に表示動作を行う複数の第２電極を備える、プラズマ表示装置の駆動方法において；
点灯されるセルに対して維持放電を行う維持期間に、
第１期間の間に、前記第１電極の電圧から前記第２電極の電圧を引いた電圧を正の１番電圧に維持する段階と、
第２期間の間に、前記第１電極の電圧から前記第２電極の電圧を引いた電圧を前記１番電圧より低い正の２番電圧に維持する段階と、
第３期間の間に、前記第２電極の電圧から前記第１電極の電圧を引いた電圧を前記２番電圧より高い３番電圧に維持する段階と、
第４期間の間に、第２電極の電圧から前記第１電極の電圧を引いた電圧を前記３番電圧より低い正の４番電圧に維持する段階と、
を含むことを特徴とする、プラズマ表示装置の駆動方法。
【請求項６】
前記３番電圧は前記１番電圧と同一電圧であり、前記４番電圧は前記２番電圧と同一電圧であることを特徴とする、請求項５に記載のプラズマ表示装置の駆動方法。
【請求項７】
前記第１期間及び前記第３期間は、各々、前記第１電極と前記第２電極との間の放電遅延時間を含んでいることを特徴とする、請求項５または６に記載のプラズマ表示装置の駆動方法。
【請求項８】
複数の第１電極と、
前記複数の第１電極と共に表示動作を行う複数の第２電極と、
前記複数の第１電極と、第１電圧を供給する第１電源との間に連結されている第１スイッチと、
第２電圧を供給し、第１端が前記第１電源に連結されている第１キャパシタと、
前記複数の第１電極と、前記第１キャパシタの第２端との間に連結されている第２スイッチと、
第３電圧を供給し、第１端が前記第１キャパシタの第２端に連結されている第２キャパシタと、
前記複数の第１電極と、前記第２キャパシタの第２端との間に連結されている第３スイッチと、
前記複数の第２電極と、第４電圧を供給する第２電源との間に連結されている第４スイッチと、
第５電圧を供給し、第１端が前記第２電源に連結されている第３キャパシタと、
前記複数の第２電極と、前記第３キャパシタの第２端との間に連結されている第５スイッチと、
第６電圧を供給し、第１端が前記第３キャパシタの第２端に連結されている第４キャパシタと、
前記複数の第２電極と、前記第４キャパシタの第２端との間に連結されている第６スイッチと、
を備えることを特徴とする、プラズマ表示装置。
【請求項９】
第１期間で、前記第３スイッチ及び前記第４スイッチが導通され、
前記第１期間後の第２期間で、前記第４スイッチが遮断されて第５スイッチが導通され、
第３期間で、前記第３スイッチ及び第５スイッチが遮断されて前記第１スイッチ及び第６スイッチが導通され、
前記第３期間後の第４期間で、前記第１スイッチが遮断されて前記第２スイッチが導通されることを特徴とする、請求項８に記載のプラズマ表示装置。
【請求項１０】
前記第２期間と前記第３期間との間の第５期間で、前記第５スイッチが遮断され、前記第１スイッチ及び第４スイッチが導通され、
前記第４期間後の第６期間で、前記第２スイッチが遮断され、前記第１及び第４スイッチが導通されることを特徴とする、請求項９に記載のプラズマ表示装置。
【請求項１１】
前記第１期間及び第３期間は、前記第１電極と前記第２電極との間の放電遅延時間を含むことを特徴とする、請求項９または１０に記載のプラズマ表示装置。
【請求項１２】
前記第１電圧と前記第４電圧とは同一電圧であり、
前記第２電圧と前記第３電圧との合計は、前記第５電圧と前記第６電圧との合計と同一電圧であることを特徴とする、請求項８〜１１のいずれかに記載のプラズマ表示装置。
【請求項１３】
前記第１電圧及び前記第４電圧は、接地電圧であることを特徴とする、請求項１２に記載のプラズマ表示装置。
【請求項１４】
前記第２キャパシタの第２端及び前記第４キャパシタの第２端には、前記第１電圧、前記第２電圧及び前記第３電圧の合計に相当する電圧を供給する電源が連結されていることを特徴とする、請求項１３に記載のプラズマ表示装置。
【発明の詳細な説明】
【技術分野】
【０００１】
本発明は、維持放電によって走査電極と維持電極との誘電層に壁電荷が形成されながら放電電流が流れる、プラズマ表示装置及びその駆動方法に関するものである。
【背景技術】
【０００２】
プラズマ表示装置は、気体放電によって生成されたプラズマを利用して文字または映像を表示するプラズマ表示パネルを利用した表示装置である。このようなプラズマ表示パネルには複数の放電セルがマトリックス形態に配列されている。
【０００３】
このようなプラズマ表示装置では、一つのフレームが各々の加重値を持つ複数のサブフィールドに分割されて駆動され、各サブフィールドはリセット期間、アドレス期間及び維持期間で構成される。リセット期間は次のアドレス放電を安定的に行うために放電セルの状態を初期化する期間であり、アドレス期間は複数の放電セルの中で点灯されるセルと点灯されないセルを選択する期間である。また、維持期間は実際に画像を表示するために点灯されるセルに対して維持放電を行う期間である。
【０００４】
このような動作を行うために、維持期間では走査電極と維持電極にハイレベル電圧とローレベル電圧を交互に持つ維持放電パルスが反対位相に印加される。維持放電によって走査電極と維持電極との誘電層に壁電荷が形成されながら、放電電流が流れる。
【発明の開示】
【発明が解決しようとする課題】
【０００５】
しかし、この時、ハイレベル電圧が一定期間の間に走査電極（維持電極）に印加されるので、一定期間に相当する間に多量の壁電荷が走査電極と維持電極とに形成される。その結果、大きい放電電流が一定期間の間に持続的に流れて消費電力が増加し、そのためにプラズマ表示装置の効率が減少する問題があった。
【０００６】
そこで、本発明は、このような問題に鑑みてなされたもので、その目的とするところは、維持期間の放電電流を低減し、消費電力を減らすことができるプラズマ表示装置及びその駆動装置を提供することにある。
【課題を解決するための手段】
【０００７】
上記課題を解決するために、本発明のある観点によれば、複数の第１電極、及び各々の第１電極と共に表示動作を行う複数の第２電極を備える、プラズマ表示装置の駆動方法において；点灯されるセルに対して維持放電を行う維持期間に、
第１電極に１次電圧を印加し、第２電極に１次電圧より低い２次電圧を印加する段階と、第１電極に１次電圧が印加された時点から第１期間後に、第１電極に１次電圧を印加した状態で、第２電極に１次電圧より低く２次電圧より高い３次電圧を第２期間印加する段階と、第２電極に１次電圧を印加し、第１電極に２次電圧を印加する段階と、第２電極に１次電圧が印加された時点から第３期間後に、第２電極に１次電圧を印加した状態で、第１電極に３次電圧を第４期間印加する段階と、を含むことを特徴とする、プラズマ表示装置の駆動方法が提供される。
【０００８】
従来、維持期間においては第１電極または第２電極に、１次電圧または２次電圧を印加し続けるために、第１電極と第２電極に印加された電圧差（１次電圧−２次電圧）によって、第１電極と第２電極に多量の壁電荷が形成されていた。しかし、本発明の場合は、維持放電開始から第１期間後に第２電極の電圧を２次電圧から（１次電圧より低く２次電圧より高い）３次電圧に高めることにより、第１電極と第２電極とに印加された電圧差は従来の電圧差より低い電圧差（１次電圧−３次電圧）に減ることになり、第１電極と第２電極とに形成される壁電荷は少量となる。これにより、壁電荷が形成されながら、流れる放電電流が減少し、消費電力が減少するので、プラズマ表示装置の発光効率を増加させることができる。第１電極及び第２電極への電圧印加が逆になる第３期間及び第４期間も、第１期間及び第２期間と同様である。
【０００９】
ここで、第１電極に１次電圧が印加される期間には第２電極に３次電圧が印加される第２期間を含み、第２電極に１次電圧が印加される期間には第１電極に３次電圧が印加される第４期間を含むことができる。３次電圧は、第１電極及び第２電極の壁電荷の量を減らすためであるので、３次電圧の終了時点は１次電圧の終了時点と同一であってもよいし、速いか、または遅くてもよい。
【００１０】
また、２次電圧は、接地電圧であることができる。また、３次電圧は１次電圧によって維持放電が起こった後に印加されるので、第１期間及び第３期間は、第１電極と第２電極との間の放電遅延時間以上の長さの期間とすることができる。
【００１１】
上記課題を解決するために、本発明の別の観点によれば、複数の第１電極、及び各々の第１電極と共に表示動作を行う複数の第２電極を備える、プラズマ表示装置の駆動方法において；点灯されるセルに対して維持放電を行う維持期間に、
第１期間の間に、第１電極の電圧から第２電極の電圧を引いた電圧を正の１番電圧に維持する段階と、第２期間の間に、第１電極の電圧から第２電極の電圧を引いた電圧を１番電圧より低い正の２番電圧に維持する段階と、第３期間の間に、第２電極の電圧から第１電極の電圧を引いた電圧を２番電圧より高い３番電圧に維持する段階と、第４期間の間に、第２電極の電圧から第１電極の電圧を引いた電圧を３番電圧より低い正の４番電圧に維持する段階と、を含むことを特徴とする、プラズマ表示装置の駆動方法が提供される。
【００１２】
従来、維持期間において、第１電極または第２電極に、ハイレベルの電圧またはローレベルの電圧を印加し続けるために、第１電極と第２電極に印加された電圧差（１番電圧）によって、第１電極と第２電極に多量の壁電荷が形成されていた。しかし、本発明の場合は、維持放電開始から第１期間後に、電圧差を１番電圧より低い２番電圧とすることにより、第１電極と第２電極とに形成される壁電荷は少量となる。これにより、壁電荷が形成されながら、流れる放電電流が減少し、消費電力が減少するので、プラズマ表示装置の発光効率を増加させることができる。第１電極及び第２電極への電圧印加が逆になる第３期間及び第４期間も、第１期間及び第２期間と同様である。
【００１３】
ここで、３番電圧は１番電圧と同一電圧であり、４番電圧は２番電圧と同一電圧であることができる。また、２番電圧または４番電圧は、１番電圧または３番電圧によって、維持放電が起こった後に印加されるので、第１期間及び第３期間は、各々、第１電極と第２電極との間の放電遅延時間を含んでいることができる。
【００１４】
上記課題を解決するために、本発明のさらに別の観点によれば、複数の第１電極と、複数の第１電極と共に表示動作を行う複数の第２電極と、複数の第１電極と、第１電圧を供給する第１電源との間に連結されている第１スイッチと、第２電圧を供給し、第１端が第１電源に連結されている第１キャパシタと、複数の第１電極と、第１キャパシタの第２端との間に連結されている第２スイッチと、第３電圧を供給し、第１端が第１キャパシタの第２端に連結されている第２キャパシタと、複数の第１電極と、第２キャパシタの第２端との間に連結されている第３スイッチと、複数の第２電極と、第４電圧を供給する第２電源との間に連結されている第４スイッチと、第５電圧を供給し、第１端が第２電源に連結されている第３キャパシタと、複数の第２電極と、第３キャパシタの第２端との間に連結されている第５スイッチと、第６電圧を供給し、第１端が第３キャパシタの第２端に連結されている第４キャパシタと、複数の第２電極と、第４キャパシタの第２端との間に連結されている第６スイッチと、を備えることを特徴とする、プラズマ表示装置が提供される。
【００１５】
本発明のプラズマ表示装置の駆動方法による駆動波形を印加するため、上記の駆動回路の構成により、第１期間で第３スイッチ及び第４スイッチが導通され、第１期間後の第２期間で、第４スイッチが遮断されて第５スイッチが導通され、第３期間で、第３スイッチ及び第５スイッチが遮断されて第１スイッチ及び第６スイッチが導通され、第３期間後の第４期間で、第１スイッチが遮断されて第２スイッチが導通されることができる。ここで、第３期間は、第２期間より後の期間であり、例えば、第１電極にハイレベルな電圧が印加される第１期間に対して、電圧印加が逆になり、第２電極にハイレベルの電圧が印加される時の第１期間に相当する期間である。
【００１６】
これにより、維持放電開始後の第２期間及び第４期間においては、第１電極と第２電極との電圧差は、第１期間及び第３期間の時より低い電圧差（第３電圧及び第６電圧）となり、第１電極と第２電極とに形成される壁電荷は少量となる。こうして、壁電荷が形成されながら、流れる放電電流が減少し、消費電力が減少するので、プラズマ表示装置の発光効率を増加させることができる。
【００１７】
そして、第２期間及び第４期間で放電電流によって第１キャパシタ及び第３キャパシタに電圧が充電されるので、第１期間及び第３期間に第１電極及び第２電極電圧を供給する時に充電された電圧を使用できる。つまり、維持期間において、第１キャパシタ及び第３キャパシタを通じて放電電流によって発生する電力を維持放電のための電圧を供給する時に再び使用することによって、消費電力をさらに低減することができる。
【００１８】
また、第２期間と第３期間との間の第５期間で第５スイッチが遮断され、第１スイッチ及び第４スイッチが導通され、第４期間後の第６期間で第２スイッチが遮断され、第１及び第４スイッチが導通されることができる。これにより、第２期間及び第４期間後に、第１電極または第２電極には再び第１期間及び第３期間と同様に電圧が印加される。
【００１９】
第２期間及び第４期間の第３電圧及び第６電圧は、維持放電が起こった後に印加されるので、第１期間及び第３期間は、第１電極と第２電極との間の放電遅延時間を含むことができる。
【００２０】
第１電圧と第４電圧とは同一電圧であり、第２電圧と第３電圧との合計は、第５電圧と第６電圧との合計と同一電圧であることができる。また、第１電圧及び第４電圧は、接地電圧であることができ、容易に回路構成することができる。
【００２１】
さらに、第２キャパシタの第２端及び第４キャパシタの第２端には、第１電圧、第２電圧及び第３電圧の合計に相当する電圧を供給する電源が連結されていることができる。第１期間及び第３期間においては、この電源によって、第１電圧、第２電圧及び第３電圧の合計に相当する電圧が第１電極または第２電極に印加される。
【発明の効果】
【００２２】
以上詳述したように本発明によれば、維持期間において、走査電極と維持電極（第１電極と第２電極）との間に印加される電圧を、一定に印加し続けずに減少させることによって、走査電極と維持電極とに形成される壁電荷を少なくし、放電電流を減少させることにより、消費電力が減少させることができ、プラズマ表示装置の発光効率を増加させることができる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、ある部分が他の部分と連結されている時、これは直接的に連結されている場合だけでなく、その中間に他の素子を置いて連結されている場合も含むこととする。
【００２４】
本実施の形態によるプラズマ表示装置について詳細に説明する。図１は本実施の形態によるプラズマ表示装置を示す図面である。図１に示したように、本実施の形態によるプラズマ表示装置は、プラズマ表示パネル１００、制御部２００、アドレス電極駆動部３００、走査電極駆動部４００及び維持電極駆動部５００を備えている。
【００２５】
プラズマ表示パネル１００は、列方向に伸びている複数のアドレス電極（以下Ａ電極と言う）Ａ１〜Ａｍ、そして行方向に互いに対をなして伸びている複数の維持電極（以下Ｘ電極と言う）Ｘ１〜Ｘｎ及び走査電極（以下Ｙ電極と言う）Ｙ１〜Ｙｎを有している。一般にＸ電極Ｘ１〜Ｘｎは、各Ｙ電極Ｙ１〜Ｙｎに対応して形成されており、Ｘ電極とＹ電極とが、維持期間で画像を表示するための表示動作を行う。
【００２６】
Ｙ電極Ｙ１〜ＹｎとＸ電極Ｘ１〜Ｘｎとは、Ａ電極Ａ１〜Ａｍと直交するように配置される。この時、Ａ電極Ａ１〜ＡｍとＸ及びＹ電極Ｘ１〜Ｘｎ、Ｙ１〜Ｙｎとの交差部にある放電空間が、セル１２を形成する。このようなプラズマ表示パネル１００の構造は、一例であり、以下で説明する駆動波形が適用できる他の構造のパネルも本発明を適用することができる。
【００２７】
制御部２００は、外部から映像信号を受信してアドレス電極駆動制御信号、維持電極駆動制御信号及び走査電極駆動制御信号を出力する。また、制御部２００は、一つのフレームを複数のサブフィールドに分割して駆動し、各サブフィールドは時間的な動作変化で表現すれば、リセット期間、アドレス期間及び維持期間で構成される。
【００２８】
アドレス電極駆動部３００は、制御部２００からアドレス電極駆動制御信号を受信して表示しようとする放電セルを選択するための表示データ信号を各アドレス電極に印加する。走査電極駆動部４００は、制御部２００から走査電極駆動制御信号を受信して走査電極に駆動電圧を印加する。維持電極駆動部５００は、制御部２００から維持電極駆動制御信号を受信して維持電極に駆動電圧を印加する。
【００２９】
次に、図２を参照して本実施の形態によるプラズマ表示装置の駆動波形について詳細に説明する。以下では便宜上一つのセルを形成するＹ電極、Ｘ電極及びＡ電極に印加される駆動波形についてのみ説明する。
【００３０】
図２は、本実施の形態によるプラズマ表示装置の駆動波形を示す図面である。図２では一つのサブフィールドの維持期間における駆動波形のみを示した。図２に示したように、維持期間では、Ｙ電極（第１電極）とＸ電極（第２電極）とに反対位相に維持放電パルスが印加され、このような維持放電パルスが当該サブフィールドの輝度加重値に対応する回数だけ繰り返される。ここで、維持放電パルスは長い幅Ｐ１と高い電圧Ｖｓ１を有するハイレベルパルスと、短い幅Ｐ２と低い電圧Ｖｓ２を有するローレベルパルスを交互に持つ。
【００３１】
この時、Ｙ電極にＶｓ１電圧（１次電圧）のハイレベルパルスが印加される時点では、Ｘ電極に基準電圧（２次電圧、図２では０Ｖ）が印加され、Ｙ電極にＶｓ１電圧のハイレベルパルスが印加された後、一定期間Ｐ３（第１期間）が経過した後、Ｘ電極にＶｓ２電圧（３次電圧）のローレベルパルスが期間Ｐ２（第２期間）印加される。同様に、Ｘ電極にＶｓ１電圧（１次電圧）のハイレベルパルスが印加される時点ではＹ電極に０Ｖ電圧が印加され、Ｘ電極にＶｓ１電圧のハイレベルパルスが印加された後、一定期間Ｐ３（第３期間）が経過してＹ電極にＶｓ２電圧（３次電圧）のローレベルパルスが期間Ｐ２（第４期間）印加される。
【００３２】
また、図２で、Ｘ電極にローレベルパルスが期間Ｐ２（第２期間）印加された後、Ｘ電極にＶｓ１電圧のハイレベルパルスが印加されるまでの期間（図示せず：第２期間と第３期間との間の期間）を第５期間とし、Ｙ電極にローレベルパルスが期間Ｐ２（第４期間）印加された後、Ｙ電極にＶｓ１電圧のハイレベルパルスが印加されるまでの期間（図示せず：第４２期間後の期間）を第６期間とする。
【００３３】
一般に、アドレス期間（図示せず）で点灯されるセルとして選択されたセルでは、Ｙ電極の電位がＸ電極の電位に対して高く、Ｙ電極とＸ電極との間に壁電圧が形成されている。したがって、維持期間では、Ａ電極及びＸ電極に０Ｖ電圧を印加した状態でＹ電極に先にＶｓ１電圧のハイレベルパルスが印加される。アドレス期間により選択されたセルでは、Ｙ電極とＸ電極との間に壁電圧が形成されているのでＹ電極にＶｓ１電圧が印加され、一定の時間（つまり、Ｙ電極とＸ電極との間の放電遅延時間）後にＹ電極とＸ電極との間で維持放電が起こる。
【００３４】
維持放電の結果、Ｙ電極に（−）壁電荷が形成され、Ｘ電極とＡ電極に（＋）壁電荷が形成されながら、セルに放電電流が流れる。放電電流が流れ始める時、Ｘ電極にＶｓ１電圧より低いＶｓ２電圧のローレベルパルスが印加される。その結果、Ｙ電極とＸ電極に形成される壁電荷の量が減少しながら放電電流も減少する。
【００３５】
従来のように、Ｙ電極にＶｓ１電圧を印加し、Ｘ電極に０Ｖ電圧を印加し続ける場合には、Ｙ電極とＸ電極に印加された電圧差Ｖｓ１（１番電圧）によってＹ電極とＸ電極に多量の壁電荷が形成される。しかし、本実施の形態のように維持放電開始後にＸ電極の電圧をＶｓ２電圧に高めれば、Ｙ電極とＸ電極に印加された電圧差（Ｖｓ１−Ｖｓ２）電圧（２番電圧）に減ってＹ電極とＸ電極とに少量の壁電荷が形成される。したがって、壁電荷が形成されながら、流れる放電電流が減少する。
【００３６】
Ｘ電極にＶｓ１電圧を印加し、Ｙ電極に０Ｖ電圧を印加する場合にも、同様に、Ｘ電極とＹ電極に印加された電圧差Ｖｓ１（３番電圧）を、電圧差（Ｖｓ１−Ｖｓ２）電圧（４番電圧）に減らし、Ｘ電極とＹ電極とに少量の壁電荷が形成される。
【００３７】
その結果、消費電力が減少し、プラズマ表示装置の発光効率を増加させることができる。このような原理はＹ．Ｓｅｏ、Ｙ．Ｋｏｓａｋａ、Ｈ．Ｉｎｏｕｅ、Ｎ．Ｉｔｏｋａｗａ及びＹ．Ｈａｓｈｉｍｏｔｏの“Ｈｉｇｈｌｙ  Ｌｕｍｉｎｏｕｓ−Ｅｆｆｉｃｉｅｎｔ  ＡＣ−ＰＤＰ  ｗｉｔｈ  Ｄｅｌｔａ  Ｃｅｌｌ  Ｓｔｒｕｃｔｕｒｅ  Ｕｓｉｎｇ  Ｎｅｗ  Ｓｕｓｔａｉｎ  Ｗａｖｅｆｏｒｍｓ”（２００３  ＳＩＤ）論文に掲載されている。
【００３８】
次に、Ｙ電極に０Ｖ電圧が印加され、Ｘ電極にＶｓ１電圧が印加されて、Ｙ電極とＸ電極との間で維持放電が起こる。この時、直前維持放電からＹ電極とＸ電極とに印加された電圧差が（Ｖｓ１−Ｖｓ２）電圧であるためにＹ電極とＸ電極とに少量の壁電荷が形成されたが、Ｘ電極に（Ｖｓ１−Ｖｓ２）電圧より高いＶｓ１電圧が印加されるので、Ｙ電極とＸ電極との間で再び維持放電が起こり得る。
【００３９】
その結果、Ｙ電極に（＋）壁電荷が形成され、Ｘ電極に（−）壁電荷が形成されながら、放電電流が流れる。同様に、放電電流が流れ始める時、Ｙ電極にＶｓ２電圧が印加されて、Ｙ電極とＸ電極との間の壁電荷が少なく形成されながら放電電流が減少する。この後、Ｙ電極とＸ電極にこのような維持放電パルスを交互に印加する過程が、当該サブフィールドが表示する加重値に対応する回数だけ繰り返される。
【００４０】
また、図２ではローレベルパルス（Ｖｓ２）の終了時点がハイレベルパルス（Ｖｓ１）の終了時点より一定時間速いことを示したが、ローレベルパルスは壁電荷の量を減らすためであるので、ローレベルパルスの終了時点をハイレベルパルスの終了時点より一定時間遅くすることもでき、ローレベルパルスの終了時点をハイレベルパルの終了時点と同一にすることもできる。また、ローレベルパルスはハイレベルパルスによって維持放電が起こった後に印加されるので、ハイレベルパルスの開始時点でＹ電極とＸ電極との間の放電遅延時間以上経過した後、ローレベルパルスが印加される。
【００４１】
次に、図３、図４Ａ及び図４Ｂを参照して本実施の形態による駆動波形を印加するための駆動回路について詳細に説明する。そして図３、図４Ａ及び図４ＢではＸ電極とＹ電極によって形成される容量性成分をパネルキャパシタＣｐで示した。
【００４２】
図３は、本実施の形態による走査電極駆動部４００及び維持電極駆動部５００の維持放電駆動回路を示した図面である。図３に示したように、走査電極駆動部４００の維持放電駆動回路は、パネルキャパシタＣｐのＹ電極（第１電極）に連結されており、スイッチＹｓ１（第３スイッチ）、Ｙｓ２（第２スイッチ）、Ｙｇ（第１スイッチ）及びキャパシタＣ１（第１キャパシタ）、Ｃ２（第２キャパシタ）を有している。
【００４３】
スイッチＹｇ、Ｙｓ１、Ｙｓ２各々の第１端は複数のＹ電極に連結されている。０Ｖ電圧（第１電圧）を供給する電源（第１電源）である接地端０にスイッチＹｇの第２端が連結されており、第１端が接地端０に連結されたキャパシタＣ１の第２端にスイッチＹｓ２の第２端が連結されている。
【００４４】
また、キャパシタＣ１の第２端に第１端が連結されたキャパシタＣ２の第２端にスイッチＹｓ１の第２端が連結されている。この時、キャパシタＣ１にはＶｓ２電圧（第２電圧）が充電されており、キャパシタＣ２にはＶｓ１電圧とＶｓ２電圧の差に相当する電圧（Ｖｓ１−Ｖｓ２）、（第３電圧）が充電されている。したがって、二つのキャパシタＣ１、Ｃ２によってＶｓ１電圧が供給される。また、キャパシタＣ２の第２端にＶｓ１電圧を供給する電源が連結されて二つのキャパシタＣ１、Ｃ２によって供給される電圧をＶｓ１電圧に固定することができる。
【００４５】
同様に、維持電極駆動部５００の維持放電駆動回路はパネルキャパシタＣＰのＸ電極（第２電極）に連結されており、スイッチＸｓ１（第６スイッチ）、Ｘｓ２（第５スイッチ）、Ｘｇ（第４スイッチ）及びキャパシタＣ３（第３キャパシタ）、Ｃ４（第４キャパシタ）を備える。スイッチＸｇ、Ｘｓ１、Ｘｓ２各々の第１端は、複数のＸ電極に連結されている。０Ｖ電圧（第４電圧）を供給する電源（第２電源）である接地端０にスイッチＸｇの第２端が連結されており、第１端が接地端０に連結されたキャパシタＣ３の第２端にスイッチＸｓ２の第２端が連結されている。
【００４６】
また、キャパシタＣ３の第２端に第１端が連結されたキャパシタＣ４の第２端にスイッチＸｓ１の第２端が連結されている。この時、キャパシタＣ３にはＶｓ２電圧（第５電圧）が充電されており、キャパシタＣ４にはＶｓ１電圧とＶｓ２電圧の差に相当する電圧（Ｖｓ１−Ｖｓ２）、（第６電圧）が充電されている。したがって、二つのキャパシタＣ３、Ｃ４によってＶｓ１電圧が供給される。また、キャパシタＣ４の第２端にＶｓ１電圧を供給する電源が連結されて、二つのキャパシタＣ３、Ｃ４によって供給される電圧をＶｓ１電圧に固定することができる。
【００４７】
図４Ａ及び図４Ｂは、各々図３に示された駆動回路の電流経路を示した図面である。まず、モード１ではスイッチＹｓ１、Ｘｇが導通する。以下、図４Ａに示したように、キャパシタＣ１、Ｃ２、スイッチＹｓ１、パネルキャパシタＣｐ、スイッチＸｇ、接地端０に電流経路（１）が形成される。この電流経路（１）によってキャパシタＣ１、Ｃ２に充電されていたＶｓ１電圧がパネルキャパシタＣｐのＹ電極に印加され、パネルキャパシタＣｐのＸ電極には０Ｖ電圧が印加される。
【００４８】
Ｙ電極にＶｓ１電圧が印加された後、一定期間Ｐ３（図２参照）が経過してモード２ではスイッチＸｓ２が導通され、スイッチＸｇが遮断される。その結果、図４Ａに示したように、キャパシタＣ１、Ｃ２、スイッチＹｓ１、パネルキャパシタＣｐ、スイッチＸｓ２、キャパシタＣ３、接地端０に電流経路（２）が形成される。
【００４９】
この電流経路（２）によってパネルキャパシタＣｐのＸ電極にＶｓ２電圧が印加される。そして、モード１で印加されたＶｓ１電圧と０Ｖ電圧によってＹ電極とＸ電極との間で放電が起これば、放電電流がこの電流経路（２）に沿って流れてキャパシタＣ３が充電される。
【００５０】
モード３ではスイッチＸｓ１、Ｙｇが導通され、スイッチＸｓ２、Ｙｓ１が遮断される。その結果、図４Ｂに示したように、キャパシタＣ３、Ｃ４、スイッチＸｓ１、パネルキャパシタＣｐ、スイッチＹｇ、接地端０に電流経路（３）が形成される。この電流経路（３）によってキャパシタＣ３、Ｃ４に充電されていたＶｓ１電圧がパネルキャパシタＣｐのＸ電極に印加され、パネルキャパシタＣｐのＹ電極には０Ｖ電圧が印加される。
【００５１】
Ｘ電極にＶｓ１電圧が印加された後、一定の期間Ｐ３が経過してモード４ではスイッチＹｓ２が導通され、スイッチＹｇが遮断される。その結果、図４Ｂに示したように、キャパシタＣ３、Ｃ４、スイッチＸｓ１、パネルキャパシタＣｐ、スイッチＹｓ２、キャパシタＣ１、接地端０に電流経路（４）が形成される。この電流経路（４）によってパネルキャパシタＣｐのＹ電極にＶｓ２電圧が印加される。そしてモード３から印加されたＶｓ１電圧と０Ｖ電圧によってＸ電極とＹ電極との間で放電が起これば、放電電流がこの電流経路（４）に沿って流れてキャパシタＣ１が充電される。
【００５２】
一方、モード２とモード３との間でスイッチＸｓ１が遮断され、スイッチＹｇ、Ｘｇが導通されてＸ電極とＹ電極に０Ｖ電圧が印加でき、同様に、モード４後にスイッチＹｓ１が遮断され、スイッチＹｇ、Ｘｇが導通されてＸ電極とＹ電極に０Ｖ電圧が印加できる。
【００５３】
このようなモード１〜４の反復でＹ電極及びＸ電極に反対位相に維持放電パルスが印加できる。そして、モード２及び４で放電電流によって各々キャパシタＣ１、Ｃ３に電圧が充電されるので、キャパシタＣ１、Ｃ３に充電された電圧がモード１及び３でＶｓ１電圧を供給する時に使用できる。つまり、キャパシタＣ１、Ｃ３を通じて放電電流によって発生する電力を維持放電のための電圧を供給する時に再び使用することによって、消費電力が減少する。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、プラズマ表示装置及びその駆動方法に適用可能であり、特に、維持放電による放電電流を減少させて消費電力を低減できる、プラズマ表示装置及びその駆動方法に適用可能である。
【図面の簡単な説明】
【００５６】
【図１】本実施の形態によるプラズマ表示装置を示す説明図である。
【図２】本実施の形態によるプラズマ表示装置の駆動波形を示す説明図である。
【図３】本実施の形態によるプラズマ表示装置の走査電極駆動部及び維持電極駆動部の維持放電駆動回路を示した回路図である。
【図４Ａ】図３に示された駆動回路のモード１及びモード２の電流経路を示した説明図である。
【図４Ｂ】図３に示された駆動回路のモード３及びモード４の電流経路を示した説明図である。
【符号の説明】
【００５７】
１００      プラズマ表示パネル
２００      制御部
３００      アドレス電極駆動部
４００      走査電極駆動部
５００      維持電極駆動部
Ａ１〜Ａｍ  Ａ電極
Ｃ１      キャパシタ
Ｃ２      キャパシタ
Ｃ３      キャパシタ
Ｃ４      キャパシタ
ＣＰ      パネルキャパシタ
Ｘ１〜Ｙｎ  維持電極（Ｘ電極）
Ｙ１〜Ｙｎ  走査電極（Ｙ電極）
Ｘｇ      スイッチ
Ｘｓ１      スイッチ
Ｘｓ２      スイッチ
Ｙｇ      スイッチ
Ｙｇ１      スイッチ
Ｙｓ２      スイッチ
【図１】
2007017964.tif 000003
【図２】
2007017964.tif 000004
【図３】
2007017964.tif 000005
【図４Ａ】
2007017964.tif 000006
【図４Ｂ】
2007017964.tif 000007